(57)【要約】【課題】  音源メディアの種類に拘わらずシートにおいてユーザの好適な振動を振動発生手段より発生させることが可能なシートオーディオ用音響装置を提供すること。【解決手段】  本発明に係るシートオーディ音響装置１は、シートの背もたれ部に設置されて音響信号の信号レベルに応じて振動を発生させる振動発生手段３と、異なる種類の音源メディアより出力される複数の音響信号より一つの音響信号を選択し、振動発生手段３に対して選択された音響信号を出力する音響信号選択手段１１と、音響信号選択手段１１により選択された音響信号の音源メディアに応じて振動発生手段３による振動量を制御する制御手段１４とを有することを特徴とする。【選択図】  図２
2008072165.tif 000002
【特許請求の範囲】
【請求項１】
シートの背もたれ部に設置されて音響信号の信号レベルに応じて振動を発生させる振動発生手段と、
異なる種類の音源メディアより出力される複数の前記音響信号より一つの音響信号を選択し、前記振動発生手段に対して選択された前記音響信号を出力する音響信号選択手段と、
該音響信号選択手段により選択された音響信号の音源メディアに応じて前記振動発生手段による振動量を制御する制御手段と
を有することを特徴とするシートオーディオ用音響装置。
【請求項２】
選択された前記音響信号に対応する前記振動発生手段の振動量を制御情報として記録する振動量記録手段と、
該振動量記録手段に記録される前記制御情報の振動量を設定変更することが可能な設定変更手段とを有し、
前記制御手段は、前記振動量記録手段に記録された前記制御情報に基づいて前記振動量を前記音響信号毎に判断して前記振動発生手段の振動量を制御すること
を特徴とする請求項１に記載のシートオーディオ用音響装置。
【請求項３】
前記振動発生手段は、前記背もたれ部であって前記シートに着座したユーザの背骨に対向する位置に設けられることを特徴とする請求項１又は請求項２に記載のシートオーディオ用音響装置。
【請求項４】
前記シートの背もたれ部上部又はヘッドレスト部に、前記音響信号選択手段により選択された音響信号の出力を行うスピーカが設けられること
を特徴とする請求項１乃至請求項３のいずれか１項に記載のシートオーディオ用音響装置。
【請求項５】
前記音響信号選択手段により選択された音響信号の音楽ジャンルを判断するジャンル判断手段を有し、
前記制御手段は前記ジャンル判断手段により判断された音楽ジャンルに応じて前記振動発生手段の振動量を制御すること
を特徴とする請求項１乃至請求項４のいずれか１項に記載のシートオーディオ用音響装置。
【発明の詳細な説明】
【技術分野】
【０００１】
本発明は、複数の音源メディア、例えば、ＣＤ、ＤＶＤ、ＭＤ、ラジオ等より出力される音響信号より一つの音響信号を選択し、選択された前記音響信号の音源メディアに応じて音響信号の出力制御を行うシートオーディオ用音響装置に関する。
【背景技術】
【０００２】
従来より、シート等に振動装置を設けたり、低域の出力音を高レベルで出力するウーファー等を設けることによって、映像や音楽の出力レベルに応じた振動をシートに発生させ、音響出力を体で感じることが可能な体感装置が提案されている（例えば、特許文献１参照）。
【０００３】
このように、出力音を振動に変換し、出力音を振動と一緒に出力することによって、ユーザは従来よりも高い臨場感・一体感を、シートを介して感じることが可能となる。
【特許文献１】特開２００１−８６５８０号公報（第５−７頁、第１図）
【発明の開示】
【発明が解決しようとする課題】
【０００４】
上述したような出力音を振動に変換して体感させる装置では、音響信号の信号レベルに応じて振動の強さが決定される。このため、再生される音響信号の信号レベルが同じであれば同じ振動強度で振動が発生することとなる。
【０００５】
しかしながら、今日の音響装置では、多数の音源メディアを再生することが可能となっており、その音源メディア毎に出力される音響信号の信号レベルにバラツキが生ずる場合があった。
【０００６】
例えば、ＣＤは比較的高い音量で収録が行われる傾向があるため、ＣＤによって再生された音響信号の信号レベルは高いレベルを示す傾向があった。一方で、ＤＶＤは全体的に低い音量で収録が行われる傾向があるため、ＤＶＤによって再生された音響信号の信号レベルは、ＣＤの場合に比べて低いレベルを示す傾向があった。このような傾向はＣＤおよびＤＶＤのみに限定されるものではなく、ＭＤやラジオ（ＡＭ／ＦＭ）によっても同様の傾向を示す場合があった。
【０００７】
このため、同じ音楽をユーザが聴取する場合であっても、音源メディア毎に音響信号の信号レベルが異なるため、シートを介してユーザが体感する振動量が異なってしまい、違和感や不快感を感じてしまうおそれがあるという問題があった。
【０００８】
本発明は、上記の問題に鑑みてなされたものであり、音源メディアの種類に拘わらずシートにおいてユーザの好適な振動を振動発生手段より発生させることが可能なシートオーディオ用音響装置を提供することを課題とする。
【課題を解決するための手段】
【０００９】
上記課題を解決するために、本発明に係るシートオーディオ用音響装置は、シートの背もたれ部に設置されて音響信号の信号レベルに応じて振動を発生させる振動発生手段と、異なる種類の音源メディアより出力される複数の前記音響信号より一つの音響信号を選択し、前記振動発生手段に対して選択された前記音響信号を出力する音響信号選択手段と、該音響信号選択手段により選択された音響信号の音源メディアに応じて前記振動発生手段による振動量を制御する制御手段とを有することを特徴とする。
【００１０】
また、上記シートオーディオ用音響装置は、選択された前記音響信号に対応する前記振動発生手段の振動量を制御情報として記録する振動量記録手段と、該振動量記録手段に記録される前記制御情報の振動量を設定変更することが可能な設定変更手段とを有し、前記制御手段は、前記振動量記録手段に記録された前記制御情報に基づいて前記振動量を前記音響信号毎に判断して前記振動発生手段の振動量を制御するものであってもよい。
【００１１】
さらに、前記振動発生手段は、前記背もたれ部であって前記シートに着座したユーザの背骨に対向する位置に設けられることが好ましい。
【００１２】
また、前記シートの背もたれ部上部又はヘッドレスト部に、前記音響信号選択手段により選択された音響信号の出力を行うスピーカが設けられることが好ましい。
【００１３】
さらに、前記音響信号選択手段により選択された音響信号の音楽ジャンルを判断するジャンル判断手段を有し、前記制御手段は前記ジャンル判断手段により判断された音楽ジャンルに応じて前記振動発生手段の振動量を制御するものであってもよい。
【発明の効果】
【００１４】
本発明に係る音響出力装置によれば、音響信号選択手段により選択された音響信号の音源メディアに応じて振動発生手段による振動量の制御が行われるので、ユーザが手動で振動発生手段の振動量切替等を行う必要がなくなり、ユーザによる振動量の調整負担を低減させることが可能となる。
【００１５】
また、振動発生手段による振動量の制御が自動で行われるので、音源メディア毎に異なる振動状態となって、ユーザが音楽の聴取時に違和感を感じたり、不快感を感じたりすることを回避することが可能となる。
【００１６】
さらに、制御手段は、振動量記録手段に記録された制御情報を音響信号毎に判断して振動発生手段の振動量を制御するので、振動量記録手段に記録された制御情報を変更することによってユーザの好みに応じた振動発生制御を行うことが可能となる。
【００１７】
また、振動発生手段が、シートの背もたれ部であってシートに着座したユーザの背骨に対向する位置に設けられるので、ユーザは振動発生手段の振動を背骨を通じて骨伝導として体全体で体感することが可能となる。
【００１８】
特に、シートの背もたれ部上部又はヘッドレスト部に、音響信号選択手段により選択された音響信号の出力を行うスピーカが設けられている場合には、スピーカによって耳の鼓膜を通じて体感する気導音と、骨伝導を通じて体感する身体共鳴（骨導音）とによって、音楽を感じ取ることができるので、ユーザは体全体で音楽を感じることができるとともに、骨伝導によってはっきりと音を感じ取ることが可能となる。
【００１９】
さらに、振動発生手段の振動をユーザの背骨を通じて骨伝導として伝達することができるので、意図的に強い振動や異音を振動発生手段から発生させることによって、ユーザの居眠りを防止させたり、リラックス効果のある音楽を用いて振動発生手段から軽い振動をユーザに与えることによってユーザの疲れを癒したりすることも可能である。
【００２０】
また、シートの背もたれ部上部又はヘッドレスト部に、音響信号選択手段により選択された音響信号の出力を行うスピーカが設けられている場合には、小音量の音楽であっても、スピーカを介してきちんとユーザの耳に音を届けることが可能となる。このため、シートオーディオ用音響装置を車両に用いる場合には、車内の会話や外部からの情報を音楽を聴きながら容易に判断できるとともに、音楽を聴き続けても聴き疲れにくいという効果を有する。
【００２１】
さらに、スピーカがシートの背もたれ部等に設けられている場合には、オープンカーや窓を開けて走行する車両等であっても音楽が聴き取りやすくなり、さらに、骨伝導を併用することによってクリアに音楽を聴き取ることが可能となる。
【００２２】
また、制御手段がジャンル判断手段により判断された音楽ジャンルに応じて振動発生手段の振動量を制御する場合には、音楽ジャンルに応じて最適な振動をユーザに提供することが可能となる。
【発明を実施するための最良の形態】
【００２３】
以下、本発明に係るシートオーディオ用音響装置を、図面を用いて詳細に説明する。
【００２４】
図１は、シートオーディオ用音響装置１を示した概略構成図である。シートオーディオ用音響装置１は、２つのスピーカ２（２ａ，２ｂ）と、ウーファー（振動発生手段）３と、装置本体部４とを有している。
【００２５】
スピーカ２は、シート５の背もたれ部５ａ上部、具体的には肩口近傍に、左右に一対となって設けられており、装置本体部４より取得した音響信号を出力音（音響出力）として出力する。シート５の正面視で左側のスピーカ２ａからはＲチャンネル用の音響信号に対応する出力音が出力され、シート５の正面視で右側のスピーカ２ｂからはＬチャンネル用の音響信号に対応する出力音が出力される。スピーカ２は、一般的なスピーカと同様にコーン、マグネット、ボイスコイル等からなるユニットによって構成されている。
【００２６】
ウーファー３は、背もたれ部５ａの左右中心部であって、シート５に着座したユーザの背骨（脊髄）に対向する位置に設けられている。ウーファー３は、装置本体部４より取得した音響信号を振動としてユーザに体感させることが可能なスピーカである。ウーファー３には、主に低域（数百Ｈｚ）の再生が可能なスピーカが用いられる。なお、ウーファー３は、入力段階で振動として使用する周波数を制限するためにハイパスフィルタやローパスフィルタ等を備えているものであってもよい。
【００２７】
また、ウーファー３において用いられる振動発生構造は、スピーカのみにより構成されるものには限定されず、音響信号の出力レベルに応じて出力信号を振動へと変換する素子を備えるものであってもよい。
【００２８】
装置本体部４は、図２示すように、複数の音源メディアの出力装置（再生装置）１０（１０ａ〜１０ｅ）と、各音源メディアの出力信号が入力される音響信号選択回路（音響信号選択手段）１１と、音響信号に対して音響処理を施すＤＳＰ１２（Digital Signal Processor）と、音響信号の信号レベルの増幅を行うパワーアンプ１３と、音響信号選択回路１１とＤＳＰ１２とパワーアンプ１３との制御を行う制御部（制御手段、設定変更手段）１４と、制御部１４における制御に必要な情報が記録される制御情報記録部（振動量記録手段）１５と、音源メディアの出力信号（音響信号）の音楽ジャンルを判定する音楽ジャンル判定部（音楽ジャンル判定手段）１６と、音響信号選択回路１１の音源メディアの選択等を行うための操作部（設定変更手段）１７とを有している。
【００２９】
複数の音源メディアの出力装置１０として、本実施例においては、ＦＭラジオ１０ａ、ＡＭラジオ１０ｂ、ＣＤプレーヤ１０ｃ、ＤＶＤプレーヤ１０ｄ、ＭＤプレーヤ１０ｅ等の出力装置が設けられている。ＣＤプレーヤ１０ｃ、ＤＶＤプレーヤ１０ｄ、ＭＤプレーヤ１０ｅ等の出力装置１０は、それぞれの音源メディア（例えばＣＤ・ＤＶＤ・ＭＤ等の記録メディア）に記録された音源データ（音源ソース）を出力信号として読み取る役割を有している。また、ＦＭラジオ１０ａ、ＡＭラジオ１０ｂ等の出力装置１０は、電波を介して受信した音響信号を出力信号として出力する役割を有している。各出力装置１０により出力される出力信号は、音響信号選択回路１１に入力される。
【００３０】
なお、出力装置１０における音源メディアは、上述した出力装置１０に用いられるものには限定されるものではない。例えば、カセットテープレコーダーやハードディスクドライブ等の音源メディア（記録メディア）であってもよい。
【００３１】
音響信号選択回路１１は、接続される複数の出力装置１０より一の出力装置を選択し、選択された出力装置１０の出力信号（音響信号）のみをＤＳＰ１２に出力する役割を有している。この音響信号選択回路１１における出力装置１０の選択処理は、制御部１４の指示に基づいて行われる。
【００３２】
ＤＳＰ１２は、音響信号選択回路１１により選択された出力信号の信号処理を行う役割を有している。ＤＳＰ１２は、音楽信号を劣化させることなく極めて高精細な処理を可能とするＩＣ（集積回路）により構成されており、制御部１４の指示に基づいて出力信号に音響処理を施すことによって、高度な音場・音質制御を実現することが可能となっている。特に、車両にシートオーディオ用音響装置１を用いる場合には、車両特有の閉空間での環境制約を音響処理により開放して自然な又は特有の音響環境を構築することが可能となる。
【００３３】
パワーアンプ１３は、ＤＳＰ１２により音響処理された出力信号の信号レベルを増幅して、スピーカ２（２ａ、２ｂ）およびウーファー３へと出力する。このパワーアンプ１３の制御は制御部１４の指示に応じてスピーカ２とウーファー３とで個別に行われる。パワーアンプ１３における信号レベル制御により、ウーファー３による出力音の振動量制御が行われることとなる。
【００３４】
音楽ジャンル判定部１６は、音響信号選択回路１１により選択された出力信号（音源データ）の音楽ジャンルを判断する役割を有している。具体的に音楽ジャンル判定部１６は、音響信号選択回路１１よりＤＳＰ１２へと出力される音源信号における音源データの音質や出力レベル等に応じて音楽ジャンルを判断し、または、出力装置１０において音源メディアより読み取られた音源データの情報等に基づいて音楽ジャンルを判断する。例えば、予め記録されるＣＤＤＢ（ＣＤ  ＤａｔａＢａｓｅ）情報やネットワークを介して取得したＣＤＤＢ情報に基づいて、音源データの曲名・アーティスト名などを求め、音源データの音楽ジャンルを判断することが可能である。音楽ジャンル判定部１６により判定された音楽ジャンル情報は、制御部１４に出力される。
【００３５】
操作部１７は、ユーザによりシートオーディオ用音響装置１の動作に関する操作が行われる入力装置であり、各出力装置１０における音響信号出力の開始／停止操作や、ウーファー３における振動発生のＯＮ／ＯＦＦ設定や、ＤＳＰ１２における好みの音響処理（例えば、スタジアムモードやシアターモード等の音響効果処理）の選択操作等が行われる。また、ユーザは、操作部１７を介して直接音楽ジャンルを入力することも可能である。操作部１７により設定された情報は、制御部１４に出力される。
【００３６】
制御情報記録部１５には、制御部１４における制御に必要な情報が記録されている。例えば、制御情報記録部１５には、ユーザにより選択されたＤＳＰ１２の音響処理モードに応じてＤＳＰ１２へ出力されるＤＳＰ制御用の変換情報や、音楽ジャンル判定部１６により判定された音楽ジャンルあるいは操作部１７を用いてユーザにより選択された出力装置１０（音源メディア）の種類に応じてパワーアンプ１３へ出力される信号レベル増幅制御用の信号レベル情報（制御情報）等が記録される。
【００３７】
なお、制御情報記録部１５では、操作部１７を介してユーザにより設定されたＤＳＰ制御用の変換情報やパワーアンプ１３における増幅制御用の信号レベル情報を、自動的に記憶することによって、それ以降のユーザの設定負担の軽減を図ることが可能である。またユーザは、操作部１７を操作することによって、一度記憶されたＤＳＰ制御用の変換情報やパワーアンプ１３における増幅制御用の信号レベル情報を、自由に設定変更することが可能である。
【００３８】
制御部１４は、ユーザにより選択された音源メディアの情報を操作部１７より読み取り、該当する音源メディアの出力装置１０に関する再生開始／停止制御を行うとともに、選択された音源メディアの出力信号が選択されるように音響信号選択回路１１の制御を行う。
【００３９】
また、制御部１４は、操作部１７を介してユーザにより設定されたＤＳＰ制御用の変換情報やパワーアンプ１３における増幅制御用の信号レベル情報を取得し、制御情報記録部１５に記録される情報の更新処理を行う。
【００４０】
さらに、制御部１４は、音楽ジャンル判定部１６より受信する音楽ジャンル情報やユーザにより選択された音源メディアの出力装置に関する情報に基づいて、制御情報記録部１５より必要な制御情報を取得してパワーアンプ１３における信号レベルの増幅制御処理を行う。
【００４１】
図３は、制御部１４による信号レベルの増幅制御処理を示したフローチャートである。このフローチャートを用いて制御部１４における信号レベルの増幅制御処理を説明する。
【００４２】
制御部１４は、ユーザによって選択された音源メディアの情報を操作部１７より取得し（ステップＳ．１）、取得された音源メディアの情報に基づいて該当する音源メディアの出力装置１０の再生動作を開始させ（ステップＳ．２）、音響信号選択回路１１における入力信号の選択を該当する出力装置１０の出力信号に選択させる（ステップＳ．３）。
【００４３】
そして、制御部１４は、音楽ジャンル判定部１６を介して出力装置１０により再生される音楽ソースの音楽ジャンル情報を取得する（ステップＳ．４）。その後、制御部１４は、ユーザにより設定されたＤＳＰ制御用の変換情報を制御情報記録部１５より読み出して、ＤＳＰ１２における音響処理を実行させる（ステップＳ．５）。
【００４４】
そして、制御部１４は、音楽ジャンル判定部１６により取得された音楽ジャンル情報と、音響信号選択回路１１により選択された出力装置１０の音源メディア情報とに基づいて、制御情報記録部１５よりパワーアンプ１３の増幅制御情報（制御情報）を取得して、パワーアンプ１３におけるスピーカ２およびウーファー３への出力信号の増幅信号処理を行う（ステップＳ．６）。
【００４５】
例えば、制御情報記録部１５において記録される増幅制御情報が、（１）音源メディアがＣＤの場合にはウーファー３における出力をＯＦＦ、（２）音源メディアがＤＶＤの場合にはウーファー３における出力をＯＮ、（３）音源メディアがＭＤの場合にはウーファー３における出力をＯＮ、（４）音源メディアがＦＭの場合にはウーファー３における出力をＯＦＦ、（５）音源メディアがＡＭの場合にはウーファー３における出力をＯＦＦとして記録されている場合であって、音響信号選択回路１１により選択された出力装置１０の音源メディア情報がＣＤの場合、制御部１４は、増幅制御情報（１）に基づいてパワーアンプ１３におけるウーファー３への出力信号をＯＦＦとし、ウーファー３によって振動出力がなされないようにパワーアンプ１３の制御を行う。
【００４６】
一方で、音響信号選択回路１１により選択された出力装置１０の音源メディア情報がＤＶＤの場合、制御部１４は、増幅制御情報（２）に基づいてパワーアンプ１３におけるウーファー３への出力信号をＯＮとし、ウーファー３より振動が出力されるようにパワーアンプ１３を制御する。
【００４７】
この場合、制御部１４は、音楽ジャンル判定部１６より取得した音楽ジャンルに基づいて、ウーファー３における振動量の制御を行う。例えば、音楽ジャンル判定部１６により判定された音楽ジャンルがロックやアクション映画音楽等の場合、制御部１４は、ユーザにおける臨場感を高めるために、パワーアンプ１３における出力信号の信号レベルを高い値に増幅することにより、ウーファー３を介してユーザが大きな振動を体感できるように制御を行う。
【００４８】
特に、ウーファー３は、シート５に着座したユーザの背骨に対向するようにして背もたれ部５ａに設置されている。このため、ウーファー３による振動出力がシート５からユーザの脊髄へと伝わり、骨伝導としてユーザの体全体に伝達して身体共鳴を発生させることが可能となる。ユーザはこの骨伝導による身体共鳴（骨導音）と、スピーカ２より出力されて耳の鼓膜を通じて体感する気導音とによって音を感じることができるので、従来にない感覚を体験することが可能となる。
【００４９】
また、例えば、音楽ジャンル判定部１６により判定された音楽ジャンルがクラッシック等の音楽の場合、制御部１４は、ウーファー３による振動出力よりもスピーカ２から聞こえる音楽を主としてユーザが聴取できるように、パワーアンプ１３において出力信号の信号レベルを低い値に制御して、ウーファー３による余計な振動（臨場感）を低減させる。このように振動を低減させることによって、ユーザは鼓膜を通じて感じ取る音のみを聴取することとなり、落ち着いた状態で音楽を楽しむことができる。
【００５０】
そして、制御部１４は、操作部１７の操作により音響出力を行う音源メディアの変更が行われたか否かを判断し（ステップＳ．７）、音源メディアの変更が行われた場合（ステップＳ．７においてＹｅｓの場合）には、上述したステップＳ．１からステップＳ．６までの処理を繰り返し実行する。
【００５１】
音源メディアの変更が行われなかった場合（ステップＳ．７においてＮｏの場合）、制御部１４は、ユーザが出力装置１０における音楽再生の停止処理を行ったか否かを、操作部１７を介して判断し（ステップＳ．８）、ユーザにより出力装置１０の停止処理が行われたと判断した場合（ステップＳ．８においてＹｅｓの場合）には、該当する音源メディアの出力装置１０を停止させ（ステップＳ．９）、信号レベルの増幅制御処理を終了する。
【００５２】
操作部１７を介してユーザが出力装置１０の停止処理を行わなかったと判断した場合（ステップＳ．８においてＮｏの場合）、制御部１４は、音源メディアの変更が行われたか否かの処理（ステップＳ．７）を繰り返し実行する。
【００５３】
このように制御部１４が、信号レベルの増幅制御処理を行うことによって、音源メディアの種類に応じてウーファー３のＯＮ／ＯＦＦ制御が自動的に行われるので、ユーザが手動でウーファー３の振動のＯＮ／ＯＦＦ制御を行う必要がなくなり、ユーザの調整負担を低減させることが可能となる。
【００５４】
また、自動的にウーファー３のＯＮ／ＯＦＦ制御が行われるので、音源メディア毎に異なる振動状態によって、ユーザが音楽の聴取時に違和感を感じたり、不快感を感じたりすることを回避することが可能となる。
【００５５】
さらに、ウーファー３のＯＮ／ＯＦＦ制御を、音源メディアの出力装置１０毎に設定でき、さらにユーザにより自由に設定変更することができるので、ユーザの好みに応じた制御を行うことが可能となる。
【００５６】
一方で、ウーファー３がＯＮの場合であっても、音楽ジャンル判定部１６により判定された音楽ジャンルに応じてウーファー３の振動量を制御することができるので、音楽ジャンルに応じて最適な振動をユーザに提供することが可能となる。
【００５７】
また、本発明に係るシートオーディオ用音響装置１では、スピーカ２によって耳の鼓膜を通じて体感する気導音と、ウーファー３によって骨伝導を通じて体感する身体共鳴（骨導音）とによって、ユーザは音楽を体感することができるので、体全体で音楽を感じることができるとともに、骨伝導によって音をはっきりと感じ取ることが可能となる。
【００５８】
さらに、スピーカ２がシート５の背もたれ部５ａに設けられているので、小音量の音楽であっても、スピーカ２を介してきちんと耳に音を届けることが可能となる。このため、シートオーディオ用音響装置１を車両に用いる場合には、車内の会話や外部からの情報を音楽を聴きながら容易に判断できるとともに、音楽を聴き続けても聴き疲れしにくいという効果を有する。
【００５９】
また、スピーカ２がシート５の背もたれ部５ａに設けられているので、オープンカーや窓を開けて走行する車両等であっても音楽が聴き取りやすくなり、さらに、骨伝導を併用することによってクリアに音楽を聴き取ることが可能となる。
【００６０】
また、ウーファー３の振動をユーザの背骨を通じて骨伝導として伝達することができるので、意図的に強い振動や異音をウーファー３から発生させることによって、ユーザの居眠りを防止したり、リラックス効果のある音楽を用いてウーファー３から軽い振動をユーザに与えることによってユーザの疲れを癒したりすることも可能である。
【００６１】
さらに、スピーカ２およびウーファー３がシート５に設けられているので、ドアスピーカ等の設置が難しく各座席において均一な音響環境を構築することが困難な車両（例えばワンボックスカー等の３列シート車両）においても、本発明に係るシートオーディオ用音響装置１を用いることによって好適な音響空間を簡易に構築することが可能となる。
【００６２】
以上、本発明に係るシートオーディオ用音響装置１について、図面を用いて詳細に説明を行ったが、本発明に係るシートオーディオ用音響装置は上述した実施形態に限定されるものではない。当業者であれば、特許請求の範囲に記載された範疇内において各種の変更例または修正例に想到しうることは明らかであり、それらについても当然に本発明の技術的範囲に属するものと了解される。
【００６３】
例えば、本発明に係るシートオーディオ用音響装置１では、音楽ジャンル判定部１６により音楽ジャンルを判定してウーファー３における振動量を制御することとしたが、必ずしも音楽ジャンル判定部１６を設ける必要はなく、音楽メディアの出力装置１０に応じてウーファー３におけるＯＮ／ＯＦＦ制御のみを行う構成としてもよい。
【００６４】
また、上記実施形態では、音楽メディアの出力装置１０に応じてウーファー３におけるＯＮ／ＯＦＦ制御を行う場合を例として説明したが、ウーファー３における制御は必ずしもＯＮ／ＯＦＦ制御のみに限定されるものではなく、音楽メディアの出力装置１０に応じてウーファーの振動量が強くまたは弱くなるように制御するものであってもよい。
【００６５】
さらに、本実施形態に係るスピーカはシートの背もたれ部上部に設置されていたが、スピーカの設置位置はこの位置に限定されるものではなく、例えばヘッドレスト部等に設けられるものであってもよい。スピーカをヘッドレスト部に設けることによって、スピーカがユーザの耳位置近傍に設置されることとなるので、スピーカより出力される音をユーザが容易に聴き取ることが可能となる。
【図面の簡単な説明】
【００６６】
【図１】本実施形態に係るシートオーディオ用音響装置の概略構成を示した図であり、（ａ）は正面図、（ｂ）は側面図を示している。
【図２】本実施形態に係るシートオーディオ用音響装置における装置本体部の概略構成を示したブロック図である。
【図３】本実施形態に係るシートオーディオ装置における制御部の処理を示したフローチャートである。
【符号の説明】
【００６７】
１     …シートオーディオ用音響装置
２、２ａ、２ｂ     …スピーカ
３     …ウーファー（振動発生手段）
４     …装置本体部
５     …シート
５ａ   …背もたれ部
１０   …出力装置
１０ａ  …ＦＭラジオ
１０ｂ  …ＡＭラジオ
１０ｃ  …ＣＤプレーヤ
１０ｄ  …ＤＶＤプレーヤ
１０ｅ  …ＭＤプレーヤ
１１   …音響信号選択回路（音響信号選択手段）
１２   …ＤＳＰ
１３   …パワーアンプ
１４   …制御部（制御手段、設定変更手段）
１５   …制御情報記録部（振動量記録手段）
１６   …音楽ジャンル判定部（音楽ジャンル判定手段）
１７   …操作部（設定変更手段）
【図１】
2008072165.tif 000003
【図２】
2008072165.tif 000004
【図３】
2008072165.tif 000005